(57)【要約】      （修正有）【課題】面状発熱体などの電気機器を必要としない簡易な構造で、従来技術では得られない断熱効果を達成することができ、そのうえインテリアディザインとしても優れた結露防止材を提供する。【解決手段】建築構造物の屋内側の壁面Ｗ全体を実質的に覆うように設けられた熱絶縁層と、該熱絶縁層に設けられた凹所３とを備えた建築構造物の屋内側の壁面の結露防止材であることを特徴としている。【選択図】図２
0003104165.tif 000002
【実用新案登録請求の範囲】
【請求項１】
建築構造物の屋内側の壁面の少なくとも一部を覆うように設けられた熱絶縁層と、
該熱絶縁層に設けられた凹所と
を備えた建築構造物の屋内側の壁面の結露防止材。
【請求項２】
前記熱絶縁層が、
熱絶縁性を有する額縁状の枠体と、
該枠体を覆うように設けられ、熱絶縁性と吸湿性とを有する被覆体
とを備え、
前記凹所が１または２以上の互いに隔離された複数の部分からなり、
前記絶縁層が壁面に着脱自在に設けられてなる請求項１記載の結露防止材。
【請求項３】
前記枠体が木材および／または熱絶縁性を有する合成樹脂材料からなり、前記被覆体が紙からなる請求項２記載の結露防止材。
【請求項４】
前記凹所内にグラスウール、綿または羊毛の１種または２以上が充填されてなる請求項１、２または３記載の結露防止材。
【請求項５】
前記枠体が粘着テープにより結露防止材の壁面に設けられてなる請求項２または３記載の結露防止材。
【請求項６】
前記枠体がマグネットシールにより結露防止材の壁面に設けられてなる請求項２または３記載の結露防止材。
【請求項７】
前記枠体に磁石が埋め込まれてなる請求項２または３記載の結露防止材。
【考案の詳細な説明】
【技術分野】
【０００１】
本考案は、建築構造物の屋内側の壁面、とくに玄関や室内のドア、ガラス窓、壁などの壁面の結露防止材に関する。さらに詳しくは、建築構造物の屋内側の壁面を覆うように設けられた熱絶縁性層と、該熱絶縁性層に取り囲まれた空洞部とを備えた結露防止材に関する。
【背景技術】
【０００２】
建築構造物、とりわけビルやマンションなどでは、一般の住居と比べて気密性が高く、そのうえエアコンにより室内温度がほぼ一定に保たれるため、冬場、外気温度（たとえば、約４〜５℃）と室内温度（約２０℃）との差が大きい。外気にさらされる玄関のドアは熱伝導性のよい鋼板製（すなわち、熱伝導率が３９ｋｃａｌ／ｍｈ℃）であり、窓ガラスの熱伝導率も１．９ｋｃａｌ／ｍｈ℃と比較的熱伝導性がよい。したがって、直接外気にさらされているドアや、窓ガラスの屋内側の表面温度は、ほぼ外気温度に等しいと考えられる。このため、室内の空気がドア、窓ガラスや断熱施工が充分でない壁などの屋内側表面と接触することによって空気中の水分が凝結して、結露が発生する。
【０００３】
日常の室内の湿気、および梅雨の時期の湿気取り対策として、塩化カルシウム、シリカゲル、炭などが一般に商品化されて、普及している。
【０００４】
また、ドアや窓ガラスに発生する結露を防止する器具として、面状発熱体を壁紙に貼りつけ、当該面状発熱体に通電して発熱し、壁を加温するものが提案されている（たとえば、特許文献１、特許文献２参照）。
【０００５】
また、発泡体、フェルト類などからなる断熱材の一方の面に粘着剤を介して剥離紙を設けた結露防止材も提案されている（たとえば、特許文献３参照）。
【０００６】
【特許文献１】特開平８−２１０５９号公報
【特許文献２】特開平８−９６９３４号公報
【特許文献３】実開平７−４３６７６号公報
【考案の開示】
【考案が解決しようとする課題】
【０００７】
前記特許文献１および２に開示された結露防止材の場合、いずれも面状発熱体を有しており、通電することによって発熱させているため、温度調節機構や、漏電防止機構を備えていなければならない。
【０００８】
また、特許文献３に開示された結露防止材の場合、熱絶縁を発泡体、フェルト類などからなる断熱材だけに依存しているため、断熱効果が充分でないという問題がある。
【０００９】
本考案の目的は、面状発熱体などの電気機器を必要としない簡易な構造で、従来技術では得られない断熱効果を達成することができ、そのうえインテリアディザインとしても優れた結露防止材を提供することである。
【課題を解決するための手段】
【００１０】
本考案は、建築構造物の屋内側の壁面の少なくとも一部を実質的に覆うように設けられた熱絶縁層と、
該熱絶縁層に設けられた凹所と
を備えた建築構造物の屋内側の壁面の結露防止材である
ことを特徴としている。
【００１１】
また、前記熱絶縁層が、
熱絶縁性を有する額縁状の枠体と、
該枠体を覆うように設けられ、熱絶縁性と吸湿性とを有する被覆体
とを備え、
前記凹所が１または２以上の互いに隔離された複数の部分からなり、
前記絶縁層が壁面に着脱自在に設けられてなることが好ましい。
【００１２】
また、前記凹所内にグラスウール、綿または羊毛の１種または２以上が充填されてなることが好ましい。
【００１３】
また、前記枠体が木材および／または熱絶縁性を有する合成樹脂材料からなり、前記被覆体が紙からなることが好ましい。
【００１４】
また、前記枠体が粘着テープにより結露防止材の壁面に設けられてなることが好ましい。
【００１５】
また、前記枠体がマグネットシールにより結露防止材の壁面に設けられてなることが好ましい。
【００１６】
また、前記枠体に磁石が埋め込まれてなることが好ましい。
【考案の効果】
【００１７】
本考案の結露防止材によれば、壁面全体を実質的に覆うように設けられた熱絶縁層と、
該熱絶縁層に設けられた凹所とを有し、当該凹所が熱絶縁層および壁面により閉じられているため、当該凹所がもっとも熱伝導率の低い空気層（熱絶縁層）として機能するため、面状発熱体などの電気機器を必要としない簡易な構造で、従来技術では得られない断熱効果を達成することができ、そのうえインテリアディザインとしても優れた結露防止材を提供することができる。
【００１８】
このように、本考案の結露防止材によれば、塩化カルシウム、シリカゲルといった化学物質を使用していないので、幼い子供にも無害であり、取り替えが容易であり、自然のまま放置しておくだけで湿気が除去される。また、本考案の結露防止材は、ドア、窓、および壁への適用に限られることはなく、クローゼット、押し入れ、下駄箱の湿気除去に適用することもできる。
【考案を実施するための最良の形態】
【００１９】
添付図面を参照しながら本考案の結露防止材を以下に詳細に説明する。
【００２０】
図１は本考案の一実施の形態にかかわる結露防止材の枠体がドアの屋内側表面に取りつけられた状態を示す説明図、図２は本考案の一実施の形態にかかわる結露防止材を示す断面説明図、図３は本考案の他の実施の形態にかかわる結露防止材を示す断面説明図、図４は本考案のさらに他の実施の形態にかかわる結露防止材を示す断面説明図、図５は本考案のさらに他の実施の形態にかかわる結露防止材を示す正面図、図６は本考案のさらに他の実施の形態にかかわる結露防止材を示す説明図、図７は本考案のさらに他の実施の形態にかかわる結露防止材を示す説明図、図８は図７の側面図、図９は本考案のさらに他の実施の形態にかかわる結露防止材を示す説明図、図１０は本考案のさらに他の実施の形態にかかわる結露防止材を示す説明図である。
【００２１】
図１および２を参照すると、本実施の形態の結露防止材は、枠体１（図１参照）および被覆体２（図２参照）を備えており、枠体１と被覆体２とが絶縁層を構成している。
【００２２】
図１および２を参照すると、枠体１は、平行に配設された２本の木製の縦材１ａと、該２本の縦材１ａのあいだに、該２本の縦材１ａに対して垂直方向に配置された６本の横材１ｂとから構成される。本実施の形態では、６本の横材１ｂは、互いに等間隔かつ平行かつ平行に配設され、縦材１ａと横材１ｂとは、釘、木ネジ、接着剤など公知の固着手段によって固着される。こうして枠体１が得られると、枠体１を覆うように被覆体２が糊または接着剤などの公知の固着手段により固着される（図２参照）。縦材１ａと横材１とを気密性よく固着することは、後述する凹所の気密性を高めるうえで重要である。したがって、接着剤または糊を塗布したのちに釘や木ネジを用いて固着したり、あるいは、ありみぞを形成し、接着剤または糊を塗布したのちに釘や木ネジを用いて固着すると凹所の気密性を高めるために有効である。
【００２３】
枠体１と被覆体２とが組み立てられると、枠体１と被覆体２により７つの凹所３が形成される。本実施の形態の結露防止材は、図２に示されるように、壁面Ｗに枠体１の被覆体２が設けられていない側の対向面に接着剤層４を介して取りつけられる。本考案の結露防止材が壁面Ｗに取りつけられると、凹所３は、壁面Ｗと、枠体１および被覆体２とによって閉じられた空間となる。このように形成された閉じられた空間は空気層として機能する。空気の熱伝導率は、０．０２１ｋｃａｌ／ｍｈ℃とかなり小さいため、凹所３は熱絶縁層として有効に機能を果たす。当該凹所３内に、グラスウール、綿または羊毛の１種または２以上を充填してもよい。グラスウールの熱伝導率は０．０３４ｋｃａｌ／ｍｈ℃であり、綿の熱伝導率が０．０５２ｋｃａｌ／ｍｈ℃であり、羊毛の熱伝導率が０．０３６ｋｃａｌ／ｍｈ℃であり、いずれもかなり小さく、毛管現象により結露を吸湿することができるという利点がある。
【００２４】
横材１ｂの数は図１および２に示されるように６本に限られることはなく、また等間隔に配設する必要もなく、たとえば２〜５本、または７以上でもよい。同様に、縦材１ａの数も２本に限られることはなく、３本以上設けることもできる。縦材１ａおよび／または横材１ｂを多く設けることにより多数の互いに隔離された凹所３の形成を実現することができる。多数の凹所３を設けると、個々の凹所３の空間が小さくなり、空間内で対流が発生せず、壁面Ｗの低い温度の熱の伝達が妨げられるので好ましい。したがって、図４に示されるように、凹所３が１つだけの場合ももちろん本考案に含まれるのであるが、対流の発生を妨げるために、凹所３の空間（容積）をできるだけ小さくするか、または、凹所３内に、たとえばグラスウールや綿などの熱絶縁体を充填することが好ましい。
【００２５】
枠体１（すなわち、縦材１ａおよび横材１ｂ）の素材としては、たとえば、木材が好適に採用される。その理由は、熱伝導率が０．０９１ｋｃａｌ／ｍｈ℃と小さく、木材自体が多孔質材料であるため、ある程度の吸湿性と保水性とを備えているからである。しかし、枠体１の素材は木材に限られることはなく、たとえば、発泡スチロールなどの合成樹脂材料を採用することができる。
【００２６】
また、被覆体２の素材としては、障子紙、和紙、西洋紙などの紙が好適に採用される。その理由は、前述の木材と同様に、紙自体にも熱絶縁性と吸湿性および保水性とがあるからである。
【００２７】
図３には、図２の結露防止材の変形例が示されている。図２の結露防止材の場合、枠体１の壁面Ｗへの取りつけは、粘着剤や接着剤４によってなされるのに対して、図３の結露防止材の場合、磁石（永久磁石または電磁石）５の吸着力により枠体１が壁面Ｗに取りつけられる。したがって、図３の結露防止材は、鋼板など強磁性材料から製造されたドアに適用されるものであり、窓ガラスなど非磁性材料から製造された窓ガラスなどの壁体に適用されるものではない。
【００２８】
図１を参照すると、通常ドアの壁面ＷにはノブＬなどの突起物が取りつけられている。このような突起物がある場合、枠体１と同一の材料から製造された補助材１ｃを設けることによって、縦材１ａと２本の横材１ｂと補助材１ｃとによって囲まれた領域だけを残して他の部分に被覆体２を設ければよい。このような突起物を含む領域においては、壁面Ｗ上に熱絶縁層が存在しないのであるが、当該領域で結露が発生しても枠体１に吸湿される。
【００２９】
図５および６を参照すると、ドアの壁面Ｗの一部を被う結露防止材１０が示されている。図５〜６に示された結露防止材１０も前述の結露防止材と同様に接着剤または糊により壁面Ｗに取り付けられるが、図６に示すように、縦材１ａおよび横材１ｂの裏面にマグネットシール（磁石）を貼り付けておけば、鉄板のドアの壁面Ｗに容易に取り付けることができる。さらに、図６に示されるように、結露防止材１０の４隅（コーナー部）または対向する枠体同士を連結する紙または合成樹脂製の挿着材８を設けると枠体を強固に補強することができる。また、図５に示されるように、結露防止材１０の表面に取り替え可能のイラストＧが描かれたシートを設けるようにすれば、ユーザが自分の部屋嗜好にマッチした結露防止材を提供することができる。
【００３０】
また、図７〜８には、洋室や和室の壁面への取り付けが容易な結露防止材１０が示されている。たとえば、ホワイトアングル（商品名）などの名称で日曜大工センターなどで販売されている、合成樹脂製の断面Ｌ字状のＬ型材６（断面がＬ字状を呈し、長手方向に延びた長尺の部材）を、図７および８に示されるように、左右上下方向に額縁状の枠体に構成し、結露防止材１０の外周に、接着剤またはネジや釘などの固着手段によって取り付ける。こののち、Ｌ型材６を接着剤またはネジや釘などの固着手段を介して結露防止材１０を洋室や和室の壁面に取り付ける。
【００３１】
さらに、図９および１０を参照すると、本考案の結露防止材は、枠体１として配線カバー（商品名）と称する部材７を使用することもできる。配線カバー（商品名）は図９に示されるような断面コ字状のコ字状部材７や、図１０に示される雄部７ａと雌部７ｂとが互いに嵌め合うような構造を有するものがあるが、いずれも本考案に適用可能である。
【００３２】
以下に、実施例にもとづいて本考案をさらに詳細に説明する。なお、本考案は実施例に限定されるものではない。
【実施例】
【００３３】
実施例１
図６に示された結露防止材１０を１個作成した。図６の結露防止材１０の縦材１ａおよび横材１ｂはともに木製で、１辺の長さは１メートルであった。被覆材としては、障子紙を使用した。また、結露防止材１０の壁面への固着手段として磁石を用いた。
【００３４】
本考案の結露防止材を外気温度５℃、湿度８０％ＲＨ、室内温度約２０℃の条件下で鋼板製のドアに取り付けた。その結果、１時間後に１平方メートルあたり吸湿量が１５０グラムであった。また、結露を吸収した結露防止材は、約２〜３時間の自然乾燥でもとの状態（１平方メートルあたりの吸湿量０グラム）に戻った。
【００３５】
比較例１〜３
被覆材として、ポリスチレン発泡体、ポリエチレンフィルムおよびナイロンフィルムを用いた以外は、実施例１と同様に結露防止材を作製した。実施例１と同様に、外気温度５℃、湿度８０％ＲＨ、室内温度約２０℃の条件下で鋼板製のドアに取り付けた。１時間後に１平方メートルあたり吸湿量は０グラムであり、結露を充分に防止できなかった。
【００３６】
このように、本考案の結露防止材によれば、冬場の外気温度５〜１０℃、湿度７０〜８０％ＲＨ、室内温度約２０℃の条件で発生する結露が、有効に吸収されることが判明した。
【００３７】
ドアの材料である鉄などの金属は全く吸湿しないため、空気中の水分は結露防止材の吸湿性を有する被覆体で凝結する。よって、ドアへの水分の凝集が抑制され、結露を防止することができる。一方、吸湿した結露防止材を高温または低湿の状態に放置することで、結露防止材中で凝結した水分が、逆に空気中に放出され、結露防止材の再生が可能となる。必要に応じて換気扇の使用やドアや窓の開放を行なえば、自然乾燥が加速され、結露防止材の再生時間が短縮される。
【図面の簡単な説明】
【００３８】
【図１】本考案の一実施の形態にかかわる結露防止材の枠体がドアの屋内側表面に取りつけられた状態を示す説明図である。
【図２】本考案の一実施の形態にかかわる結露防止材を示す断面説明図である。
【図３】本考案の他の実施の形態にかかわる結露防止材を示す断面説明図である。
【図４】本考案のさらに他の実施の形態にかかわる結露防止材を示す断面説明図である。
【図５】本考案のさらに他の実施の形態にかかわる結露防止材を示す正面図である。
【図６】本考案のさらに他の実施の形態にかかわる結露防止材を示す説明図である。
【図７】本考案のさらに他の実施の形態にかかわる結露防止材を示す説明図である。
【図８】図７の側面図である。
【図９】本考案のさらに他の実施の形態にかかわる結露防止材を示す説明図である。
【図１０】本考案のさらに他の実施の形態にかかわる結露防止材を示す説明図である。
【符号の説明】
【００３９】
１    枠体
１ａ  縦材
１ｂ  横材
１ｃ  補助材
２    被覆体
３    凹所
４    接着剤層
５    磁石
６    Ｌ型材
７    コ字状部材
７ａ  雄部
７ｂ  雌部
８    挿着材
１０    結露防止材
Ｌ    ノブ
Ｇ    イラスト
Ｗ    壁面
【図１】
0003104165.tif 000003
【図２】
0003104165.tif 000004
【図３】
0003104165.tif 000005
【図４】
0003104165.tif 000006
【図５】
0003104165.tif 000007
【図６】
0003104165.tif 000008
【図７】
0003104165.tif 000009
【図８】
0003104165.tif 000010
【図９】
0003104165.tif 000011
【図１０】
0003104165.tif 000012